(57)【要約】【課題】防犯性を高める等のために施錠装置を設けるにあたり、コストの増大を抑制することのできる遊技機を提供する。【解決手段】パチンコ機１は、前面枠３の後側に遊技盤５を備えている。この遊技盤５には、普通入賞チャッカー１１、可変入賞装置１２、作動チャッカー１３、可変表示装置１４等が配設されている。第１部材が第２部材で閉鎖された状態又は第１部材に第２部材が取付けられた状態を維持するべく施錠装置が設けられ、施錠装置は、特定の操作手段によって操作される本体部と、本体部に支持される可動部とを具備する。本体部に設けられた係止部と可動部とで、第１部材及び第２部材を挟持することで、施錠が行われ、可動部を動作させて挟持を解除することで、解錠が行われ、かつ、施錠装置の取外しが許容されるよう構成した。【選択図】          図１
2004173999.tif 000002
【特許請求の範囲】
【請求項１】
第１部材と、該第１部材に対し開閉可能又は着脱可能に設けられた第２部材と、前記第１部材が前記第２部材で閉鎖された状態又は前記第１部材に前記第２部材が取付けられた状態を維持するべく施錠可能な施錠装置とを備えた遊技機において、
前記施錠装置は、特定の操作手段によって操作される本体部と、前記本体部に支持され前記特定の操作手段によって動作する可動部とを具備し、
前記本体部に設けられた係止部と前記可動部とで、前記第１部材及び第２部材を挟持することで、施錠が行われ、
前記可動部を動作させて前記挟持を解除することで、解錠が行われ、かつ、前記施錠装置の取外しが許容されるよう構成したことを特徴とする遊技機。
【発明の詳細な説明】
【０００１】
【発明の属する技術分野】
本発明は、パチンコ機等の遊技機に関するものである。
【０００２】
【従来の技術】
従来、パチンコ機等の遊技機は、遊技の主たる制御を司るための主制御基板をはじめ各種制御基板が設けられているほか、景品球や貸球を払出す払出装置等の各種部品、装置等が設けられている。これらの制御基板や部品、装置等は、交換、点検等の作業性等に鑑み、遊技機の本体から取外すことができるようになっている。
【０００３】
一方で、これら制御基板や部品、装置等が容易に取外すことができてしまうと、不正行為の横行を招くおそれがある。このため、各種制御基板や部品、装置等を本体に対し取付固定したり、所定の部材で閉鎖したりすることが行われている（例えば、特許文献１）。
【０００４】
【特許文献１】
特開２００１−２８６６４４号公報
【０００５】
【発明が解決しようとする課題】
しかしながら、各種制御基板や部品、装置等について、それぞれ専用の施錠装置等を設けようとすると、１台の遊技機につき、相当のコストがかかるのみならず、構造自体が煩雑なものとなるおそれがある。なお、上記不具合は、パチンコ機のみならず、スロットマシン等の遊技機全般にわたって内在するものである。
【０００６】
本発明は、上述した問題点を解決するためになされたものであり、防犯性を高める等のために施錠装置を設けるにあたり、コストの増大を抑制することのできる遊技機を提供することを主たる目的とする。
【０００７】
【課題を解決するための手段及び発明の効果】
上記の目的を達成するために有効な手段を以下に示す。なお、必要に応じてその作用等についても説明する。
【０００８】
手段１．第１部材と、該第１部材に対し開閉可能又は着脱可能に設けられた第２部材と、前記第１部材が前記第２部材で閉鎖された状態又は前記第１部材に前記第２部材が取付けられた状態を維持するべく施錠可能な施錠装置とを備えた遊技機において、
前記施錠装置は、特定の操作手段によって操作される本体部と、前記本体部に支持され前記特定の操作手段によって動作する可動部とを具備し、
前記本体部に設けられた係止部と前記可動部とで、前記第１部材及び第２部材を挟持することで、施錠が行われ、
前記可動部を動作させて前記挟持を解除することで、解錠が行われ、かつ、前記施錠装置の取外しが許容されるよう構成したことを特徴とする遊技機。
【０００９】
手段１によれば、第１部材が第２部材で閉鎖された状態又は第１部材に第２部材が取付けられた状態が、施錠装置の施錠によって維持される。施錠装置は、本体部と、本体部に支持された可動部とを具備し、特定の操作手段によって本体部が操作されることによって、可動部が動作する。そして、本体部に設けられた係止部と可動部とで、第１部材及び第２部材が挟持されることで、施錠が行われる。また、可動部を動作させて前記挟持を解除することで、解錠が行われ、かつ、このとき、施錠装置の取外しが許容される。従って、当該遊技機の使用後、取外した施錠装置を別の遊技機において再度利用することができる。そのため、施錠装置の繰り返しの再利用が可能となる。その結果、施錠装置を有してなる遊技機一台あたりのコストを抑えることができる。また、第１部材及び第２部材に関しては、両者が挟持されることで施錠が行われるため、これら両部材に特に複雑な機構を設けなくて済む。そのため、施錠装置を用いるに際しての構造の複雑化を抑制することができる。
【００１０】
手段２．第１部材と、該第１部材に対し開閉可能又は着脱可能に設けられた第２部材と、前記第１部材が前記第２部材で閉鎖された状態又は前記第１部材に前記第２部材が取付けられた状態を維持するべく施錠可能な施錠装置とを備えた遊技機において、
前記施錠装置は、特定の操作手段によって操作される鍵穴を有する本体部と、前記本体部に回動可能に支持され、前記特定の操作手段を前記鍵穴に差込んだ上での回動操作に伴って回動する可動部とを具備し、
前記本体部に設けられた係止部と前記可動部とで、前記第１部材及び第２部材を挟持することで、施錠が行われ、
前記施錠状態から前記可動部を回動させて前記挟持を解除することで、解錠が行われ、かつ、前記施錠装置の取外しが許容されるよう構成したことを特徴とする遊技機。
【００１１】
手段２によれば、第１部材が第２部材で閉鎖された状態又は第１部材に第２部材が取付けられた状態が、施錠装置の施錠によって維持される。施錠装置は、本体部と、本体部に支持された可動部とを具備し、特定の操作手段が本体部の鍵穴に差込まれた上で回動操作されることによって、可動部が回動する。そして、本体部に設けられた係止部と可動部とで、第１部材及び第２部材が挟持されることで、施錠が行われる。また、可動部を回動させて前記挟持を解除することで、解錠が行われ、かつ、このとき、施錠装置の取外しが許容される。従って、当該遊技機の使用後、取外した施錠装置を別の遊技機において再度利用することができる。そのため、施錠装置の繰り返しの再利用が可能となる。その結果、施錠装置を有してなる遊技機一台あたりのコストを抑えることができる。また、第１部材及び第２部材に関しては、両者が挟持されることで施錠が行われるため、これら両部材に特に複雑な機構を設けなくて済む。そのため、施錠装置を用いるに際しての構造の複雑化を抑制することができる。さらに、特定の操作手段の差込み、回動といった比較的単純な操作でもって、施解錠を行うことができることから、操作性、作業性の向上をも図ることができる。
【００１２】
手段３．第１部材と、該第１部材に対し開閉可能又は着脱可能に設けられた第２部材と、前記第１部材が前記第２部材で閉鎖された状態又は前記第１部材に前記第２部材が取付けられた状態を維持するべく施錠可能な施錠装置とを備えた遊技機において、
前記施錠装置は、特定の操作手段によって操作される鍵穴を有するとともに拡径された係止部を有してなる本体部と、前記本体部に回動可能に支持され、前記特定の操作手段を前記鍵穴に差込んだ上での回動操作に伴って回動する可動部とを具備するとともに、
前記第１部材及び第２部材は、前記可動部及び本体部の挿通を許容する第１挿通孔及び第２挿通孔を具備し、
前記施錠装置を前記第２挿通孔から第１挿通孔へ挿通させた状態で、前記係止部と前記可動部とで、前記第１部材及び第２部材を挟持することで、施錠が行われ、
前記施錠状態から前記可動部を回動させて前記挟持を解除することで、解錠が行われ、かつ、前記施錠装置の取外しが許容されるよう構成したことを特徴とする遊技機。
【００１３】
手段３によれば、第１部材が第２部材で閉鎖された状態又は第１部材に第２部材が取付けられた状態が、施錠装置の施錠によって維持される。施錠装置は、本体部と、本体部に支持された可動部とを具備し、特定の操作手段が本体部の鍵穴に差込まれた上で回動操作されることによって、可動部が回動する。そして、施錠装置の可動部及び本体部が第１部材の第１挿通孔及び第２部材の第２挿通孔へ挿通された状態で、本体部に設けられた係止部と可動部とで、第１部材及び第２部材が挟持されることで、施錠が行われる。また、前記施錠状態から可動部を回動させて前記挟持を解除することで、解錠が行われ、かつ、このとき、施錠装置の取外しが許容される。従って、当該遊技機の使用後、取外した施錠装置を別の遊技機において再度利用することができる。そのため、施錠装置の繰り返しの再利用が可能となる。その結果、施錠装置を有してなる遊技機一台あたりのコストを抑えることができる。また、第１部材及び第２部材に関しては、両者が挟持されることで施錠が行われるため、これら両部材にそれぞれ挿通孔を設けるだけで済み、特に複雑な機構を設けなくて済む。そのため、施錠装置を用いるに際しての構造の複雑化を抑制することができる。さらに、特定の操作手段の差込み、回動といった比較的単純な操作でもって、施解錠を行うことができることから、操作性、作業性の向上をも図ることができる。
【００１４】
手段４．前記本体部の挿通状態にあって、前記第１挿通孔及び第２挿通孔内における前記本体部の回動が規制されるよう構成したことを特徴とする手段３に記載の遊技機。
【００１５】
手段４によれば、本体部の挿通状態にあって、第１挿通孔及び第２挿通孔内における本体部の回動が規制される。このため、特定の操作手段の回動に際し、特に本体部を押さえたりしなくても、挿通孔内にて本体部が空転してしまうといった事態を抑制できる。従って、特定の操作手段の回動操作を一層容易に行うことができる。なお、「前記第１挿通孔及び第２挿通孔のうちの少なくとも一方、並びに、前記本体部は、非円形状をなしていること」としてもよい。
【００１６】
手段５．前記可動部は、前記本体部の挿通方向先端に支持されていることを特徴とする手段１乃至４のいずれかに記載の遊技機。
【００１７】
手段５によれば、可動部は、本体部の挿通方向先端に支持されている。このため、施錠状態において、可動部が第１挿通孔から外部に露出した状態を採用することができる。従って、可動部の回動を許容するための特殊な機構等を採用しなくても済み、もって構成のさらなる簡素化を図ることができる。
【００１８】
手段６．前記挟持が解除されて解錠が行われたとき、前記特定の操作手段の前記本体部からの離間が禁止されるよう構成したことを特徴とする手段１乃至５のいずれかに記載の遊技機。
【００１９】
手段６によれば、挟持が解除されて解錠が行われた状態にあっては、特定の操作手段が本体部から離間しない。このため、施錠装置の取外しに際しては、特定の操作手段の抜き取り操作をすることで、特定の操作手段がくっついたまま施錠装置の取り外しも行われる。従って、施錠装置の取外しに際しての作業性、操作性の飛躍的な向上を図ることができる。なお、「前記挟持が解除される回動状態となったとき、前記特定の操作手段の前記鍵穴からの抜けが禁止されるよう構成した」こととしてもよい。
【００２０】
手段７．前記第１部材及び第２部材が当接状態で施錠が行われるよう構成したことを特徴とする手段１乃至６のいずれかに記載の遊技機。
【００２１】
手段７によれば、第１部材及び第２部材が当接状態で施錠が行われることから、両者間にがたつきが生じることがない。そのため、閉鎖状態或いは取付状態の安定化を図ることができる。
【００２２】
手段８．前記第１部材は、遊技機本体を構成する部材であり、前記第２部材は、前記遊技機本体に取付けられる部品又は装置であることを特徴とする手段１乃至７のいずれかに記載の遊技機。
【００２３】
手段８によれば、遊技機本体に対し、部品又は装置が取付けられ、その状態が施錠装置によって維持される。
【００２４】
手段９．前記第２部材は、その改変により遊技者の利益に影響を与えうる部品又は装置であることを特徴とする手段８に記載の遊技機。
【００２５】
手段９のように、部品又は装置が、その改変により、遊技者の利益に影響を与えるものである場合、不正な取外しが懸念されるところであるが、上記各手段のように、当該部品又は装置の取付状態が施錠装置によって維持されることから、そのような懸念を払拭し、防犯性を高めることができる。
【００２６】
手段１０．前記第２部材は、遊技の制御を司る制御基板を内部に被包してなる基板ボックスであることを特徴とする手段８又は９に記載の遊技機。
【００２７】
手段１０のように、基板ボックスが取外されると、制御基板の改変によって、不正な遊技が行われるおそれがある。この点、上記各手段のように、当該基板ボックスの取付状態が施錠装置によって維持されることから、そのような懸念を払拭し、防犯性を高めることができる。
【００２８】
手段１１．前記第２部材は、遊技媒体の払出し導出する払出装置であることを特徴とする手段８乃至１０のいずれかに記載の遊技機。
【００２９】
手段１１のように、払出装置が取外されると、払出装置の改変によって、不正に遊技媒体が払い出されてしまうおそれがある。この点、上記各手段のように、当該払出装置の取付状態が施錠装置によって維持されることから、そのような懸念を払拭し、防犯性を高めることができる。
【００３０】
手段１２．前記第２部材は、遊技領域の前面側を閉鎖するための扉体であることを特徴とする手段８乃至１１のいずれかに記載の遊技機。
【００３１】
手段１２のように、扉体の閉鎖状態が解除されると、遊技領域等に関し不正操作が行われるおそれがある。この点、上記各手段のように、当該扉体の閉鎖状態が施錠装置によって維持されることから、そのような懸念を払拭し、防犯性を高めることができる。
【００３２】
手段１３．前記第１部材は、遊技機本体に固定されるボックス本体であり、前記第２部材は前記ボックス本体を覆うボックス蓋体であり、これらボックス本体とボックス蓋体とで、遊技の制御を司る制御基板を内封状態で被包するよう構成したことを特徴とする手段１乃至１２のいずれかに記載の遊技機。
【００３３】
手段１３のように、ボックス蓋体によるボックス本体の被包（閉鎖）状態が解除されると、内部の制御基板の改変等が不正に行われるおそれがある。この点、上記各手段のように、当該ボックス蓋体によるボックス本体の被包が施錠装置によって維持されることから、そのような懸念を払拭し、防犯性を高めることができる。
【００３４】
手段１４．施錠状態にある前記施錠装置が解錠されること、又は、前記施錠装置が取外されることで、痕跡が残るよう痕跡残存手段を設けたことを特徴とする手段１乃至１３のいずれかに記載の遊技機。
【００３５】
手段１４によれば、痕跡残存手段が設けられることにより、施錠状態にある施錠装置が解錠されること、又は、施錠装置が取外されることで、痕跡が残る。従って、万が一不正が行われたときの早期発見を図ることができ、かかる意味で間接的に不正行為の防止を図ることができる。
【００３６】
手段１５．前記第１部材及び第２部材に対し、前記施錠装置が複数箇所に設置可能に構成されており、設置された施錠装置に対応して、施錠状態にある前記施錠装置が解錠されることで、痕跡が残るよう痕跡残存手段を設けたことを特徴とする手段１乃至１３のいずれかに記載の遊技機。
【００３７】
手段１５によれば、痕跡残存手段が設けられることにより、施錠状態にある錠装置が解錠されること、又は、施錠装置が取外されることで、痕跡が残る。従って、万が一不正が行われたときの早期発見を図ることができ、かかる意味で間接的に不正行為の防止を図ることができる。しかも、第１部材及び第２部材に対し、施錠装置が複数箇所に設置されるようになっているため、施錠装置の設置に伴い、前記痕跡残存手段を各箇所に順次設けることで、点検等に際し適正に第２部材の開放又は取り外しが複数回行われる場合であっても、対応が可能となる。なお、この場合、１つの施錠装置を繰り返し用いることができる。
【００３８】
手段１６．前記痕跡残存手段は、少なくとも前記施錠装置及び第２部材のうち少なくとも一方に貼付された封印シールであり、該封印シールは、その剥離に際し痕跡が残るよう構成されていることを特徴とする手段１４又は１５に記載の遊技機。
【００３９】
手段１６によれば、少なくとも施錠装置及び第２部材のうち少なくとも一方に貼付された封印シールという比較的簡易な構成でもって、痕跡を残存せしめることができる。結果として、コストの増大及び構造の複雑化を抑制することができる。
【００４０】
手段１７．手段１乃至１６のいずれかにおいて、遊技機はパチンコ遊技機（パチンコ機）であること。中でも、パチンコ遊技機の基本構成としては、操作ハンドルを備えていてそのハンドル操作に応じて遊技球を所定の遊技領域に発射させ、遊技球が遊技領域内の所定の位置に配置された作動口に入賞した場合に所定の価値が付与されるよう構成されていることが挙げられる。
【００４１】
手段１８．手段１乃至１６のいずれかにおいて、遊技機は回胴式遊技機であること。ここで、回胴式遊技機の構成としては、「複数の識別情報からなる識別情報列（具体的にはリールであり、識別情報はリールに付されたシンボルである）を変動表示（具体的にはリールの回動である）した後に識別情報を確定表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段を備えた回胴式遊技機」となる。
【００４２】
手段１９．手段１乃至１６のいずれかにおいて、遊技機はパチンコ機とスロットマシンとを融合させた遊技機であること。中でも、前記融合させた遊技機の基本構成としては、「複数の識別情報からなる識別情報列（具体的にはリールであり、識別情報はリールに付されたシンボルである）を変動表示（具体的にはリールの回動である）した後に識別情報を確定表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段とを備え、遊技媒体として遊技球を使用するとともに、前記識別情報の変動開始に際しては所定数の遊技球を必要とし、特別遊技状態の発生に際しては多くの遊技球が払い出されるよう構成されてなる遊技機」となる。
【００４３】
【発明の実施の形態】
以下、パチンコ遊技機（以下、単に「パチンコ機」という）の一実施の形態を、図面に基づいて詳細に説明する。
【００４４】
図１に示すように、パチンコ機１は、外枠２と、該外枠２の前部に設けられ外枠２の一側部にて開閉可能に支持された前面枠３とを備えている。
【００４５】
前面枠３の前面側にはガラス扉枠４が開閉自在に設けられている。前面枠３の後側（ガラス扉枠４の奥、外枠２の内側）には、遊技盤５が着脱可能に装着されている。
【００４６】
ガラス扉枠４の下部には、遊技球Ｂを貯留するための球受皿としての上皿６が一体的に設けられている。また、前面枠３の前面下部には、ほぼ中央部において球受皿としての下皿７が設けられている。下皿７の側方には、遊技球発射用ハンドル８が設けられている。ハンドル８は遊技球発射装置１０（図２参照）に連結されており、遊技者がハンドル８を回転させることにより、遊技球Ｂが遊技球発射装置１０から発射される。
【００４７】
遊技盤５には、ルータ加工が施されることによって複数の開口部が形成されており、各開口部に対応して、普通入賞チャッカー１１、可変入賞装置１２、作動チャッカー１３、可変表示装置１４、スルーチャッカー１５等が配設されている。
【００４８】
遊技盤５の一側部には、遊技球発射装置１０によって発射される遊技球Ｂを遊技盤５の上部に案内する内レール１６ａ及び外レール１６ｂが設けられている。内レール１６ａの下端部付近において、遊技盤５には遊技球Ｂを導出するアウト口１７が形成されている。そして、遊技盤５の下部に流下した遊技球Ｂの多くは、このアウト口１７を通って図示しない球排出路へと案内される。本実施の形態では、遊技盤５のうち内レール１６ａ及び外レール１６ｂによって囲まれ、可変表示装置１４等が配設された部分が、遊技球Ｂが流下可能な遊技領域となっている。
【００４９】
前記可変表示装置１４は、液晶表示部２０と、該液晶表示部２０を囲むように設けられたセンターフレーム２１とを備えている。液晶表示部２０には、例えば左図柄列、中図柄列及び右図柄列の３つの表示列が表示される。各図柄列は識別情報としての複数の図柄によって構成されており、これら図柄が各図柄列毎にスクロールするように可変表示される。
【００５０】
より詳しくは、可変表示装置１４の下方に設けられた作動チャッカー１３に遊技球Ｂが入球することに基づいて、可変表示装置１４の液晶表示部２０の図柄が可変表示される。そして、停止された図柄の組合せが予め設定した特定の組合せとなった場合には特別遊技価値が付与される。すなわち、大当たり状態が発生し、可変入賞装置１２の大入賞口が所定の開放状態となり（具体的には所定時間、所定回数だけ開く）、遊技球Ｂが入賞しやすい状態になる。なお、可変入賞装置１２は、通常、遊技球Ｂが入賞できない状態又は入賞し難い状態になっている。
【００５１】
また、周知のとおり、前記普通入賞チャッカー１１、可変入賞装置１２、作動チャッカー１３に遊技球Ｂが入球することに基づいて、上皿６又は下皿７に対し所定数の景品球（遊技球Ｂ）が払い出される。また、遊技盤５には、遊技球Ｂの流下方向を適宜分散、調整等するために多数の釘（但し便宜上、符号を省略する）が植設されているとともに、ランプ１８や風車等の各種部材（役物）が配設されている。
【００５２】
このように構成されたパチンコ機１は、遊技盤５の裏側において、各種の制御対象を制御する複数の制御基板を備えている。より詳しくは、図２に示すように、パチンコ機１は、主な制御基板として、払出制御基板３１、発射制御基板３２、主基板３３、図示しない表示制御基板、及び、図示しないランプ音声制御基板を備えている。払出制御基板３１は、払出ユニット９３を制御対象とし、普通入賞チャッカー１１、可変入賞装置１２、作動チャッカー１３に遊技球Ｂが入球することに基づく上皿６又は下皿７に対する所定数の景品球（遊技球Ｂ）の払い出し、及び貸球（遊技球Ｂ）の払い出しを制御する。
【００５３】
発射制御基板３２は、上述した遊技球発射装置１０を制御対象とし、遊技球発射用ハンドル８の回転操作に基づき遊技球Ｂの発射制御を司る。
【００５４】
表示制御基板は、上述した液晶表示部２０を制御対象とし、可変表示装置１４の下方に設けられた作動チャッカー１３への遊技球Ｂの入球があったときに、液晶表示部２０の図柄を、各図柄列毎にスクロール表示する。また、いわゆるリーチ状態発生時や大当たり状態発生時の演出表示なども行う。
【００５５】
ランプ音声制御基板は、遊技盤５等に取り付けられた各種ランプ（図１中のランプ１８など）を制御対象とし、遊技状態に合わせてこれらランプの点灯・消灯・点滅などを行う。また、音声出力機構を制御対象とし、遊技に伴う効果音や音声の出力制御を行う。なお、音声制御基板とランプ制御基板とを、別体として構成することとしてもよい。
【００５６】
そして、主基板３３は、上述した各種制御基板に対し、所定の指令（コマンド）を出力することにより、パチンコ遊技機１の全体の制御を司る。つまり、主基板３３は、ソレノイド等の各種アクチュエータ以外にも払出制御基板３１、発射制御基板３２、表示制御基板、ランプ音声制御基板などを制御対象とする。なお、各制御基板３１〜３３等は、制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む制御回路基板を有している。その制御回路基板は、基板ボックスと称される箱状体に収納されている（この構成については後述する）。従って、例えば主基板３３の実体は、上記制御回路基板であるが、ここでは便宜上、当該制御回路基板及び基板ボックスを併せて主基板３３と称することとしている。
【００５７】
次に、これら制御基板３１〜３３（基板ボックス）の取付位置をはじめとする、パチンコ機１の背面側の構成等について、図２を参照しつつ説明する。
【００５８】
前記前面枠３には、遊技盤５の背面側において、樹脂材料で形成され、前面枠３に開閉可能に支持された機構盤９０が設けられている。機構盤９０は、上部機構盤９０Ａ及び下部機構盤９０Ｂからなり、それぞれが前面枠３の一側にて開閉可能に軸支されている。上部機構盤９０Ａには、タンク９１、タンクレール９２、払出ユニット９３、ケースレール９４、役物カバー９５などが取り付けられている。
【００５９】
タンク９１は、上部機構盤９０Ａの最上部に取り付けられており、払い出されるべき遊技球Ｂを貯留する。タンクレール９２は、タンク９１の下方に取り付けられ、長尺形状のレール本体が右側方向へ右下がりに延びており、ケースレール９４へ遊技球Ｂを整列状態で誘導するようになっている。払出ユニット９３は、遊技球Ｂの払い出しを行うための機構であり、ケースレール９４の下方に取り付けられ、賞球と貸球の払い出しを行う機構である。この払出ユニット９３へ遊技球Ｂを誘導するのが、ケースレール９４である。
【００６０】
また、役物カバー９５は、タンクレール９２の下方に取り付けられる四角形状の樹脂製カバーであり、遊技盤５の背面側において可変表示装置１４や表示制御基板、ランプ音声制御基板等を保護する。本実施の形態において、表示制御基板及びランプ音声制御基板が図示されていないのは、これら基板が前記役物カバー９５で覆われているためである。すなわち、表示制御基板は、前記可変表示装置１４の裏面側に取付けられている。また、その周囲を囲むようにして、遊技盤５の背面側には、合成樹脂製の集合盤５０が固定されている。集合盤５０には、各種中継基板が取着されているとともに、前記普通入賞チャッカー１１、可変入賞装置１２、作動チャッカー１３等に入賞した遊技球Ｂを集合案内させるべく遊技球流路が設けられている。本実施の形態では、それ以外にも、集合盤５０には、前記主基板３３及びランプ音声制御基板等が取付固定されている。本実施の形態では、集合盤５０は、遊技機本体として機能する。
【００６１】
さて、次には、主基板３３の取付構造の詳細について説明する。上述したように、主基板３３は、基板ボックス６１と、その内部に収納された図示しない制御回路基板とから構成されている。図３乃至図５に示すように、主基板３３の基板ボックス６１は、前記集合盤５０の一部をなす台座状の取付部（以下、これを便宜上集合盤５０と称する）に対し取付けられており、箱状をなすボックス本体６２及びボックス蓋体６３から構成されている。より詳しくは、ボックス蓋体６３は、その一側のヒンジ部６４においてボックス本体６２に対し開閉可能に設けられている。そして、使用に際しては、ボックス蓋体６３がボックス本体６２内に設けられた制御回路基板を被包し封鎖した状態で、図示しないねじにより固定されている。また、これに加えて、その閉鎖状態を維持するべく、ボックス蓋体６３は、ボックス本体６２に対し、施錠装置７０によって施錠されるようになっている。
【００６２】
図３，４，８に示すように、両者６２，６３が施錠されるのは、基板ボックス６１の短辺部分の一側（図３では左側）部位である。当該部位において、ボックス本体６２には第１挿通孔を構成する挿通孔６６が形成され、ボックス蓋体６３には第２挿通孔を構成する挿通孔６７が形成されている。両挿通孔６６，６７は、複数組設けられているとともに、両挿通孔６６，６７同士が互いに対応するようになっている。両挿通孔６６，６７は、非円形状、より詳しくは円の両側を切り欠いたような略小判形状又は略矩形状をなし、かつ、互いに同一サイズをなしている。また、ボックス蓋体６３の挿通孔６７の上方には、前記挿通孔６７よりも大径のガイド孔６８が連続して形成されている。そして、当該挿通孔６６，６７に対応して、本実施の形態にかかる施錠装置７０が設けられている。
【００６３】
次に、施錠装置７０の構成について説明する。図６，７に示すように、施錠装置７０は、本体部７１と、本体部７１に対し回動可能に支持された可動部７２とを備えている。本体部７１は、円の両側を切り欠いたような正面略小判形状をなす胴部７３と、胴部７３に一体形成され、かつ、胴部７３よりも一回り大きい係止部としての拡径部７４とからなる。胴部７３は、前記挿通孔６６，６７とほぼ同サイズに又は幾分小さく形成され、前記挿通孔６６，６７内を挿通可能、かつ、挿通孔６６，６７内において回動不能となっている。これに対し、拡径部７４は、前記挿通孔６６，６７よりも大径となっており、正面円形状をなしている。
【００６４】
前記可動部７２は、拡径部７４とは反対側において胴部７３に対し当接状態で回動可能に支持されている。可動部７２は、前記胴部７３とほぼ同サイズに形成され、略矩形状（又は胴部７３とほぼ同様の略小判形状）をなす板状体によって構成されている。
【００６５】
本体部７１には、鍵穴７５が形成されている。そして、かかる鍵穴７５に対し、特定の操作手段を構成するキー７６が差込まれた上で、該キー７６が回動操作されることによって、その回動に伴って可動部７２が９０度回動するように構成されている。この可動部７２の回動によって、図７に示すように、胴部７３と可動部７２とがほぼ重なり合うようになっている。つまり、このような重なり合い状態になることによって、可動部７２及び胴部７３の前記挿通孔６６，６７内の挿通が許容されるようになっている。また、本体部７１内には、図示しない係止手段が設けられている。図７に示す状態にあっては、前記係止手段の存在によって、前記キー７６の抜取りが規制されるようになっている。つまり、図６に示すように、可動部７２が左右方向に延びる状態となったときに限り、前記キー７６の抜取が許容される。なお、キー７６構図尾及び鍵穴７５の内部構造については、特に限定されるものではなく、既知の構成を適宜採用することができる。
【００６６】
上記のとおり、本実施の形態においては、このような施錠装置７０を設置するための挿通孔６６，６７が複数組並んだ状態で設けられている。そして、施錠装置７０が設けられる挿通孔６７上の前記ガイド孔６８を塞ぐようにして痕跡残存手段としての封印シール７７（散点模様参照）がボックス蓋体６３に貼付されている。これは、基板ボックス６１の内部点検等に際し、ボックス蓋体６３が所定回数を上限に適正に開放される場合を想定してのことである。すなわち、それまで図３に示すように最上部の挿通孔６６，６７に対応して１つの施錠装置７０が施錠されていたとする。この場合、点検等により、施錠装置７０を解錠するに際しては、封印シール７７を剥がす必要がある。このとき、封印シール７７の剥離に際して痕跡が残るのであるが、かかる痕跡を残した状態で、次回の施錠に際しては、その隣の挿通孔６６，６７が使用されるように構成されている。つまり、隣接する挿通孔６６，６７に順次施錠装置７０を挿通させた上で施錠を行うことによって、複数回の繰り返し点検等に対しても有効に施錠を施すことができるとともに、適正な点検の履歴を痕跡として残すことができるようになっている。
【００６７】
また、本実施の形態では、ボックス本体６２及びボックス蓋体６３間の施錠のみならず、図３，５，９に示すように、前記集合盤５０に対する基板ボックス６１の取付固定についても、前記施錠装置７０と同様の施錠装置８０が採用されるようになっている。これは、折角ボックス本体６２とボックス蓋体６３との間を強固に施錠したとしても、基板ボックス６１ごと不正なものに取り替えられるおそれがあることを考慮したものである。すなわち、本実施の形態では、集合盤５０には、挿通孔８１及びガイド孔８４が形成されているとともに、基板ボックス６１（ボックス本体６２及びボックス蓋体６３）にも挿通孔８２，８３が形成されており、これら挿通孔８１〜８３に対応して施錠装置８０が設けられている。ただし、集合盤５０の挿通孔８１には段差が形成され、かかる段差面に施錠装置８０の可動部が当接するよう構成されている。
【００６８】
挿通孔８１〜８３に対応して施錠装置８０が設けられるのは、前記ヒンジ部６４とは反対側のフランジ状の部位である。なお、この施錠装置８０は、胴部の長さを除いては、前記施錠装置７０と同様の構成であるため、これ以上の構成上の詳細については説明を省略することとする。この施錠装置８０に関しても、挿通孔８１〜８３が複数組並んだ状態で設けられている。そして、施錠装置８０の設けられたガイド孔８４を塞ぐようにして痕跡残存手段としての封印シール８５（散点模様参照）がボックス蓋体６３に貼付されている。
【００６９】
次に、上記のように構成されてなる本実施の形態の作用効果について説明する。
【００７０】
まず、基板ボックス６１のボックス本体６２とボックス蓋体６３との関係について説明する。ボックス本体６２に対しボックス蓋体６３で覆った（被包した）状態を維持する際には、挿通孔６６，６７に対し、施錠装置７０の可動部７２及び本体部７１（胴部７３）を挿通させる。すると、本体部７１の拡径部７４がボックス蓋体６３に当接し、それ以上の挿入が規制されるとともに、可動部７２がボックス本体６２の挿通孔６６から露出した状態となる。この状態から、キー７６を９０度だけ回動させる。すると、図６，図８（ａ）に示すように、可動部７２が、ボックス本体６２の挿通孔６６からはみ出す格好となる。これにより、ボックス本体６２及びボックス蓋体６３が、前記拡径部７４及び可動部７２によって挟持される。そして、キー７６を鍵穴７５から抜き取ることで、ボックス本体６２に対するボックス蓋体６３の開放が規制され、かつ、施錠装置７０の取外しが規制されることとなり、施錠が完了する。その後、対応するガイド孔６８を塞ぐようにして封印シール７７が貼付される。
【００７１】
一方、点検等に際し、施錠状態を解除（解錠）するに際しては、封印シール７７を剥がした上で、キー７６を鍵穴７５に差込む。その上で、図７，図８（ｂ）に示すように、キー７６を施錠時とは反対方向へ回動操作する。この回動に伴って、可動部７２も回動し、可動部７２と胴部７３とが重なり合う状態となり、本体部７１及び可動部７２ともども挿通孔６６，６７を挿通可能な状態となる。そして、この状態において、キー７６を抜き取る。すると、前記係止手段の作用により、キー７６とともに、施錠装置７０が挿通孔６６，６７から取外されることとなる。これにより、解錠が完了し、ボックス蓋体６３を開放することが可能となる。
【００７２】
なお、基板ボックス６１内の点検等が完了した場合には、次に、再度ボックス蓋体６３を閉じた状態とし、先ほどの隣の挿通孔６６，６７に施錠装置７０を設置する。そして、対応するガイド孔６８に別の封印シール７７を貼付し、再度の利用に供する。
【００７３】
また、基板ボックス６１と集合盤５０との関係についても同様である。つまり、上記と同様の操作を行うことで、施錠装置８０の施錠・解錠を複数回行うことができる（図９（ａ），（ｂ）等参照）。
【００７４】
以上詳述したように、本実施の形態によれば、ボックス本体６２に対しボックス蓋体６３で覆われた（閉鎖された）状態が、施錠装置７０の施錠によって維持される。また、基板ボックス６１の集合盤５０に対する取付状態が、施錠装置８０の施錠によって維持される。すなわち、施錠装置７０（，８０）の可動部７２及び本体部７１が挿通孔６６，６７（８１〜８３）へ挿通された状態で、拡径部７４と可動部７２とで、ボックス本体６２及びボックス蓋体６３（基板ボックス６１及び集合盤５０）が挟持されることで、施錠が行われる。また、前記施錠状態から可動部７２を回動させて前記挟持を解除することで、解錠が行われ、かつ、このとき、施錠装置７０（，８０）の取外しが許容される。
【００７５】
従って、当該パチンコ機１の使用後、取外した施錠装置７０（，８０）を別のパチンコ機において再度利用することができる。そのため、施錠装置７０（，８０）の繰り返しの再利用が可能となる。その結果、施錠装置７０（，８０）を有してなるパチンコ機一台あたりのコストを抑えることができる。また、閉鎖、取付の対象となるボックス本体６２、ボックス蓋体６３、或いは集合盤５０等に関しては、両者６２，６３（６１，５０）が挟持されることで施錠が行われるため、これら両者にそれぞれ挿通孔６６，６７（８１〜８３）を設けるだけで済み、特に複雑な機構を設けなくて済む。そのため、施錠装置７０（，８０）を用いるに際しての構造の複雑化を抑制することができる。
【００７６】
さらに、キー７６の差込み、回動といった比較的単純な操作でもって、上記施解錠を行うことができることから、操作性、作業性の向上をも図ることができる。
【００７７】
併せて、施錠装置７０，８０の本体部７１（胴部７３）、挿通孔６６，６７，８１〜８３等を非円形状としていることで、挿通孔６６，６７，８１〜８３内における本体部７１の回動が規制される。このため、キー７６の回動操作に際し、特に本体部７１を手で押さえたりしなくても、本体部７１が空転してしまうといった事態が起きない。従って、キー７６の回動操作を一層容易に行うことができる。
【００７８】
加えて、本実施の形態では、前記挟持が解除されて解錠が行われたとき、係止手段の存在により、キー７６の本体部７１からの離間が禁止される。このため、施錠装置７０（，８０）の取外しに際しては、キー７６の抜き取り操作をすることで、キー７６とともに施錠装置７０（，８０）の取外しも併せて行われる。従って、施錠装置７０（，８０）の取外しに際しての作業性、操作性の飛躍的な向上を図ることができる。
【００７９】
しかも、本実施の形態では、施錠装置７０，８０に対応して封印シール７７，８５を貼付することとしている。このため、施錠状態にある施錠装置７０，８０が解錠されること、又は、施錠装置７０，８０が取外されたりすることで、痕跡が残る。従って、万が一不正が行われたときの早期発見を図ることができ、かかる意味で間接的に不正行為の防止を図ることができる。特に、本実施の形態では、挿通孔６６，６７，８１〜８３を複数組設けることとし、施錠装置７０，８０が複数箇所に設置可能に構成されている。このため、施錠装置７０，８０の設置に伴い、封印シール７７，８５を各箇所に順次貼付することで、点検等に際し適正にボックス蓋体６３の開放、或いは、基板ボックス６１の取外しが複数回行われる場合であっても、対応が可能となる。なお、この場合、１つの施錠装置７０，８０を繰り返し用いることができる。
【００８０】
なお、実施の形態に何等限定されるものではなく、主旨を逸脱しない範囲において種々なる形態で実施し得るものである。例えば次のように実施してもよい。
【００８１】
（ａ）上記実施の形態における可動部７２は、本体部７１の挿通方向先端に支持されているようになっている。かかる構成を採用することで、可動部７２が挿通孔６６，８１から外部に露出した状態を採用することができるため、可動部７２の回動を許容するための特殊な機構等を採用しなくても済むというメリットがある。これに対し、本体部７１の胴部７３の側壁に孔を形成し、キー操作に伴って、該孔に対し、可動部を出没可能に設けることとしてもよい。
【００８２】
（ｂ）上記実施の形態では、集合盤５０（第１部材）に対し基板ボックス６１（第２部材）の取付状態を維持するべく施錠装置８０で施錠する場合、及び、ボックス本体６２（第１部材）に対しボックス蓋体（第２部材）の閉鎖状態（被覆状態）を維持するべく施錠装置７０で施錠する場合について具体化している。これに対し、その他のものを施錠する場合にも同様にして適用することも可能である。
【００８３】
この場合、第１部材として、例えば遊技機本体が挙げられ、第２部材として、例えば遊技機本体に取付けられる（又は閉鎖される）部品又は装置が挙げられる。より具体的には、上部機構盤９０Ａ（遊技機本体）に取付けられる払出装置としての払出ユニット９３（装置）、前面枠３（遊技機本体）に取付けられるガラス扉枠４（部品）、遊技盤５（遊技機本体）に取付けられる可変入賞装置１２等が挙げられる。特に、防犯性を高めるという観点からすれば、第２部材としては、その改変により遊技者の利益に影響を与えうるものが特に好適に採用される。
【００８４】
（ｃ）また、ボックス本体及びボックス蓋体（基板ボックス）は、必ずしも主基板３３用のものに限られず、払出制御基板３１或いは表示制御基板等の他の基板用の基板ボックス（ボックス本体及びボックス蓋体）の施錠に具体化することも可能であることは勿論である。
【００８５】
（ｄ）上記実施の形態では、機構盤９０を上部機構盤９０Ａ及び下部機構盤９０Ｂにより構成しているが、必ずしも分離しなくてもよい。
【００８６】
（ｅ）上記実施の形態では、集合盤５０に基板ボックス６１を取付ける構成となっているが、機構盤９０に取付ける構成となっていてもよい。
【００８７】
（ｆ）上記実施の形態とは異なるタイプのパチンコ機等にも適用できる。例えば、大当たり図柄が表示された後に所定の領域に遊技球を入賞させることを必要条件として特別遊技状態となるパチンコ機として実施してもよい。また、可変表示装置１４のないパチンコ機（例えば大羽根やクルーンといった役物が搭載されているタイプや、いわゆる多くのチューリップが搭載されているタイプ等）にも応用できる。また、パチンコ機以外にも、アレパチ、雀球、スロットマシン、パチンコ機とスロットマシンとが融合した遊技機等の各種遊技機として実施することも可能である。なお、スロットマシンは、例えばコインを投入して図柄有効ラインを決定させた状態で操作レバーを操作することにより図柄が変動され、ストップボタンを操作することにより図柄が停止されて確定される周知のものである。この場合、遊技媒体はコイン、メダル等が代表例として挙げられる。
【００８８】
また、パチンコ機とスロットマシンとが融合した遊技機の具体例としては、複数の図柄からなる図柄列を変動表示した後に図柄を確定表示する可変表示手段を備えており、遊技球打出用のハンドルを備えていないものが挙げられる。この場合、所定の操作（ボタン操作）に基づく、所定量の遊技球の投入の後、例えば操作レバーの操作に起因して図柄の変動が開始され、例えばストップボタンの操作に起因して或いは所定時間経過することにより図柄の変動が停止され、その停止時の確定図柄がいわゆる大当たり図柄であることを必要条件として遊技者に有利な大当たり状態が発生させられ、遊技者には、下部の受皿に多量の遊技球が払い出されるものである。
【００８９】
（ｇ）上記実施の形態では、施錠装置７０，８０が複数箇所に設置できるよう、複数組の挿通孔６６，６７，８１〜８３を設ける構成となっているが、１組のみであっても差し支えない。
【００９０】
（ｈ）上記実施の形態のような封印シール７７，８５を省略することとしてもよい。
【００９１】
（ｉ）第１部材と第２部材との間に隙間を設けてもよい。また、第１部材と第２部材との間に別部材（例えば、クッション材、シール材、板材、別装置の一部等）を介在させてもよい。
【００９２】
（ｊ）上記実施の形態では、基板ボックス６１を集合盤５０に施錠装置８０で取付固定するに際し、ボックス本体６２及びボックス蓋体６３の双方に挿通孔８２，８３を形成し、両者６２，６３を固定することとしている。これに対し、いずれか一方、つまりボックス本体６２又はボックス蓋体６３のみを集合盤５０に固定する構成としても差し支えない。
【図面の簡単な説明】
【図１】一実施の形態におけるパチンコ機を示す正面図である。
【図２】パチンコ機を示す背面図である。
【図３】主基板の基板ボックス等を示す正面図である。
【図４】基板ボックス等を示す側面図である。
【図５】基板ボックス等を示す平面図である。
【図６】施錠装置等を示す斜視図である。
【図７】施錠装置等を示す斜視図である。
【図８】（ａ），（ｂ）は、ボックス本体とボックス蓋体との施錠を説明するための模式的な拡大断面図である。
【図９】（ａ），（ｂ）は、集合盤と基板ボックスとの施錠を説明するための模式的な拡大断面図である。
【符号の説明】
１…遊技機としてのパチンコ機、３…前面枠、４…枠体としてのガラス扉枠、５…遊技盤、１２…可変入賞装置、１４…可変表示装置、３１…払出制御基板、３２…発射制御基板、３３…主基板、５０…集合盤、６１…基板ボックス、６２…ボックス本体、６３…ボックス蓋体、６６…（第１）挿通孔、６７…（第２）挿通孔、７０，８０…施錠装置、７１…本体部、７２…可動部、７３…胴部、７４…係止部としての拡径部、７５…鍵穴、７６…特定の操作手段としてのキー、７７，８５…痕跡残存手段としての封印シール、９３…払出ユニット。
【図１】
2004173999.tif 000003
【図２】
2004173999.tif 000004
【図３】
2004173999.tif 000005
【図４】
2004173999.tif 000006
【図５】
2004173999.tif 000007
【図６】
2004173999.tif 000008
【図７】
2004173999.tif 000009
【図８】
2004173999.tif 000010
【図９】
2004173999.tif 000011